(57)【要約】      （修正有）【課題】重労働であった結束解除作業を自動化して人手を要する作業を減少させる。【解決手段】折り込み広告Ｐの結束を解除する結束解除装置において、前記折り込み広告Ｐを結束する結束バンドＢを切断する結束バンド切断手段２と、前記結束バンド切断手段２にて切断した結束バンドＢの一端Ｂ１を自由端とした状態で、当該結束バンドＢの他端Ｂ２を前記結束バンド切断手段２の切断動作を利用して保持する結束バンド保持手段３とを具備し、前記結束バンド切断手段２にて切断した結束バンドＢを前記結束バンド保持手段３にて保持した状態で当該結束バンドＢを前記折り込み広告Ｐから引き抜くことを特徴とする。【選択図】図３
2008110784.tif 000002
【特許請求の範囲】
【請求項１】
被結束物の結束を解除する結束解除装置において、
前記被結束物を結束する結束要素を切断する結束要素切断手段と、
前記結束要素切断手段にて切断した結束要素の一端を自由端とした状態で、当該結束要素の他端を前記結束要素切断手段の切断動作を利用して保持する結束要素保持手段とを具備し、
前記結束要素切断手段にて切断した結束要素を前記結束要素保持手段にて保持した状態で当該結束要素を前記被結束物から引き抜くことを特徴とする結束解除装置。
【請求項２】
引き抜いた結束要素の嵩を減ずる嵩減手段を具備することを特徴とする請求項１記載の結束解除装置。
【請求項３】
前記結束要素を前記結束要素保持手段にて保持した状態で前記結束要素を巻き取る巻き取り手段を具備し、
前記巻き取り手段を用いて前記結束要素を前記被結束物から巻き取りながら引き抜くことにより被結束物の結束を解除することを特徴とする請求項１又は２記載の結束解除装置。
【請求項４】
前記結束要素保持手段を用いて保持する前記結束要素の保持部の周囲に当該結束要素を巻き付ける巻付芯材を具備し、
前記巻付芯材に前記結束要素を巻きつけて結束要素の巻き玉を形成することを特徴とする請求項３記載の結束解除装置。
【請求項５】
前記巻き取り手段にて巻き取る結束要素を前記巻付芯材側に誘導する巻き取りガイド部材を有することを特徴とする請求項４記載の結束解除装置。
【請求項６】
前記巻き取り手段を用いて巻き取った結束要素の巻き玉に巻き取り終端部を止着する止着手段を具備し、
前記止着手段を用いて前記結束要素の巻き玉状態を維持することを特徴とする請求項３乃至５記載の結束解除装置。
【請求項７】
前記巻き取り手段により巻き取った結束要素の巻き玉に巻き取り終端部を溶着して止着する止着手段であること特徴とする請求項６記載の結束解除装置。
【請求項８】
前記巻き取り手段から前記結束要素の巻き玉を取り外す取り外し手段を具備することを特徴とする請求項３乃至７記載の結束解除装置。
【請求項９】
挟み動作により前記結束要素を切断する結束要素切断手段を具備し、
前記結束要素切断手段の挟み動作を利用して前記結束要素保持手段が前記結束要素を挟持することを特徴とする請求項１乃至８記載の結束解除装置。
【請求項１０】
前記結束要素切断手段を用いて前記結束要素を切断すると共に前記結束要素保持手段を用いて前記結束要素を保持するために必要となる隙間を、前記被結束物と結束要素との間に形成する隙間形成手段を具備することを特徴とする請求項１乃至９記載の結束解除装置。
【請求項１１】
前記被結束物を反結束要素側に押圧する押圧部材を用いて前記被結束物と結束要素との間に隙間を形成する隙間形成手段であることを特徴とする請求項１０記載の結束解除装置。
【請求項１２】
前記隙間形成手段の押圧動作と前記結束要素切断手段の移動動作とを連動させる連動機構を具備し、
前記隙間形成手段の押圧動作に伴って、前記結束要素を切断可能な位置に前記結束要素切断手段を移動させることを特徴とする請求項１１記載の結束解除装置。
【請求項１３】
前記結束要素が前記結束要素切断手段にて切断可能な位置にあることを検知する検知手段を具備することを特徴とする請求項１乃至１２記載の結束解除装置。
【請求項１４】
前記切断刃が結束要素を切断可能な方向に向くように調整する調整手段を具備することを特徴とする請求項１乃至１３記載の結束解除装置。
【請求項１５】
前記被結束物が、新聞の折り込み広告であることを特徴とする請求項１乃至１４記載の結束解除装置。
【請求項１６】
前記結束要素切断手段を用いて、複数の方向から前記結束要素を切断可能に構成していることを特徴とする請求項１乃至１５記載の結束解除装置。
【請求項１７】
前記結束要素切断手段を用いて、第一の方向から前記被結束物を結束する第一の結束要素と、当該第一の結束要素と直交する第二の方向から前記被結束物を結束する第二の結束要素とを切断可能に構成していることを特徴とする請求項１６記載の結束解除装置。
【請求項１８】
複数台の結束解除装置を設置する結束解除装置の設置方法であって、
請求項１乃至１７記載の結束解除装置を、複数の方向から前記結束要素を切断可能な位置に設置することを特徴とする結束解除装置の設置方法。
【請求項１９】
第一の方向から被結束物を結束する第一の結束要素を切断可能な位置と、当該第一の結束要素と直交する第二の方向から被結束物を結束する第二の結束要素を切断可能な位置に請求項１乃至１７記載の結束解除装置を設置することを特徴とする請求項１８記載の結束解除装置の設置方法。
【発明の詳細な説明】
【技術分野】
【０００１】
本発明は、例えば、結束要素にて結束している折り込み広告の結束を解除することが可能な結束解除装置に関するものである。
【背景技術】
【０００２】
従来、新聞に折り込んで購読者に配達される折り込み広告は、仕分日まで当該折り込み広告を各新聞販売店に仕分ける仕分配送センタにて、一定部数の折り込み広告をポリプロピレン等からなる結束バンドにて結束した状態で保管される。
【０００３】
仕分作業を行うに際しては、まず、結束を解除するために前記折り込み広告を固く結束している結束バンドと前記折り込み広告との間に手を指し込んで隙間を形成し、当該隙間にカッターを差し込んで結束バンドの一部を切断した後、切断した結束バンドを折り込み広告の下から抜き取る。そして抜き取った結束バンドを廃棄袋へと排出する。
【０００４】
このように結束を解除した折り込み広告は、どの新聞販売店向けのものかを示すラベルの仕分情報に基づいて各新聞販売店の部数あるいは枚数に仕分された後、再度結束された状態で路線別に配送部門に回送される。（例えば、特許文献１）
【特許文献１】特許第３６８００７９号公報
【発明の開示】
【発明が解決しようとする課題】
【０００５】
ところが、上記折り込み広告の結束解除作業は、作業者にとって肉体的に厳しいものであり、通常、前記折り込み広告は複数の結束バンドにて結束されている場合が多いため、作業者は当該結束解除作業を複数回繰り返さなければならない。
【０００６】
更に、切断された結束バンドは手で丸めても嵩が高く、廃棄袋に入れると短時間に満杯になってしまうため頻繁に捨てに行かなければならず、作業効率を低下させる原因となっている。
【課題を解決するための手段】
【０００７】
そこで本願の結束解除装置は、被結束物の結束を解除する結束解除装置において、前記被結束物を結束する結束要素を切断する結束要素切断手段と、前記結束要素切断手段にて切断した結束要素の一端を自由端とした状態で、当該結束要素の他端を前記結束要素切断手段の切断動作を利用して保持する結束要素保持手段とを具備し、前記結束要素切断手段にて切断した結束要素を前記結束要素保持手段にて保持した状態で当該結束要素を前記被結束物から引き抜くことを特徴とする。
【０００８】
このようなものであれば、重労働であった結束解除作業を自動化して人手を要する作業を減少させることにより効率化を図ることができるばかりか、前記結束要素切断手段の切断動作を利用して切断した結束バンドの一部を保持するため、結束解除作業にかかるサイクルタイムを短縮できると共に、例えば結束要素切断手段と結束要素保持手段の駆動源を同じくするなどして機械構成の簡易化やコストダウンを実現することができる。
【０００９】
また、引き抜いた結束要素の嵩を減ずる嵩減手段を具備することにより、当該結束要素を入れておく廃棄袋等の交換回数を減少できるため、更に作業効率を向上することが可能となる。加えて、省スペースにて引き抜いた結束要素を置いておくことが可能となり作業場等を広く使用することができる。
【００１０】
更に、簡易な構成にて引き抜き動作等を実現するためには、前記結束要素を前記結束要素保持手段にて保持した状態で前記結束要素を巻き取る巻き取り手段を具備し、前記巻き取り手段を用いて前記結束要素を前記被結束物から巻き取りながら引き抜くことにより被結束物の結束を解除すること考えられる。
【００１１】
加えて、前記巻き取り動作を円滑に行うためには、前記結束要素保持手段を用いて保持する前記結束要素の保持部の周囲に当該結束要素を巻き付ける巻付芯材を具備し、前記巻付芯材に前記結束要素を巻きつけて結束要素の巻き玉を形成することや、前記巻き取り手段にて巻き取る結束要素を前記巻付芯材側に誘導する巻き取りガイド部材を有することが望ましい。
【００１２】
更に、前記巻き取り手段を用いて巻き取った結束要素の嵩が膨張することを防止するためには、前記巻き取り手段を用いて巻き取った結束要素の巻き玉に巻き取り終端部を止着する止着手段を具備し、前記止着手段を用いて前記結束要素の巻き玉状態を維持することが望ましい。
【００１３】
また、前記巻き取り手段により巻き取った結束要素の巻き玉に巻き取り終端部を溶着して止着する止着手段とすることにより、止着のために紐等の他の部材を必要としないため構造の複雑化や他部材の補充の必要性などを回避できる。
【００１４】
加えて、結束要素の廃棄作業まで自動化するためには、前記巻き取り手段から前記結束要素の巻き玉を取り外す取り外し手段を具備すると良い。
【００１５】
更に、挟み動作により前記結束要素を切断する結束要素切断手段を具備し、前記結束要素切断手段の挟み動作を利用して前記結束要素保持手段が前記結束要素を挟持する構成とすることで、簡易且つ確実な構成にて前記切断動作を利用した保持動作を実現できる。
【００１６】
また、前記結束要素切断手段を用いて前記結束要素を切断すると共に前記結束要素保持手段を用いて前記結束要素を保持するために必要となる隙間を、前記被結束物と結束要素との間に形成する隙間形成手段を具備することにより、被結束物を傷つけることなく容易に切断することができる。
【００１７】
具体的な構成としては、前記被結束物を反結束要素側に押圧する押圧部材を用いて前記被結束物と結束要素との間に隙間を形成する隙間形成手段とすることが望ましい。
【００１８】
更に、前記隙間形成手段の押圧動作と前記結束要素切断手段の移動動作とを連動させる連動機構を具備し、前記隙間形成手段の押圧動作に伴って、前記結束要素を切断可能な位置に前記結束要素切断手段を移動させることにより、隙間の形成工程及び結束要素切断手段の移動工程を同時に行うことが可能となり作業時間を短縮化することができる。
【００１９】
更に、前記結束要素の切断を確実に行なうためには、前記結束要素が前記結束要素切断手段にて切断可能な位置にあることを検知する検知手段を具備することや前記切断刃が結束要素を切断可能な方向に向くように調整する調整手段を具備することが考えられる。
【００２０】
また、前記被結束物として新聞の折り込み広告を用いた場合に特に有効である。
【００２１】
加えて、前記結束要素切断手段を用いて、複数の方向から前記結束要素を切断可能に構成することにより、各被結束物によって結束要素による結束方向が異なる場合や、被結束物が、複数の結束要素を用いて異なる方向から其々結束されている場合であっても好適に結束を解除することができる。
【００２２】
更に、例えば、前記被結束物は、結束状態を強固なものとするために直交する縦向きと横向きの結束要素を用いて結束している場合が多い。従って、前記結束要素切断手段を用いて、第一の方向から前記被結束物を結束する第一の結束要素と、当該第一の結束要素と直交する第二の方向から前記被結束物を結束する第二の結束要素とを切断可能に構成することが望ましい。
【００２３】
また、前記結束解除装置などに複雑な機構を設けることなく、個別に異なる結束方向に結束された被結束物の結束を好適に解除するためには、複数の方向から前記結束要素を切断可能な位置に、上記の結束解除装置を複数台設置すると良い。
【００２４】
更には、第一の方向から被結束物を結束する第一の結束要素を切断可能な位置と、当該第一の結束要素と直交する第二の方向から被結束物を結束する第二の結束要素を切断可能な位置に上記の結束解除装置を夫々設置することにより、例えば、前記被結束物が、結束状態を強固なものとするために直交する縦向きと横向きの結束要素を用いて結束している場合であっても、前記結束解除装置などに複雑な機構を設けることなく対応することができる。
【発明の効果】
【００２５】
以上説明したように本発明の結束解除装置によれば、重労働であった結束解除作業を自動化して人手を要する作業を減少させることにより効率化を図ることができるばかりか、前記結束要素切断手段の切断動作を利用して切断した結束バンドの一部を保持するため、結束解除作業にかかるサイクルタイムを短縮できると共に、例えば結束要素切断手段と結束要素保持手段の駆動源を同じくするなどして機械構成の簡易化やコストダウンを実現することができる。
【発明を実施するための最良の形態】
【００２６】
以下、本発明の一実施形態を、図面を参照して説明する。
【００２７】
本発明の一実施形態における結束解除装置Ａは、複数枚の被結束物である紙（例えば、新聞に折り込まれる折り込み広告Ｐ）を結束する結束要素である結束バンドＢを切断して折り込み広告Ｐの結束を解除するために利用されるものであり、当該折り込み広告Ｐの結束を解除する際に必要となる一連の作業（前記結束バンドＢの切断、引き抜き及び廃棄作業など）を自動的に行う。
【００２８】
前記結束解除装置Ａは、折り込み広告Ｐを載置する折り込み広告載置台Ｃに組み込まれて、図示しない紙分取システムの一部を構成している。
【００２９】
当該紙分取システムは、各新聞販売店に仕分ける仕分配送センタにおいて利用されるものであり、仕分配送センタでは、配布を依頼する依頼人から入荷した折り込み広告Ｐを折り込み広告の束Ｐ１として一時的に保管し、各新聞販売店に荷する折り込み広告Ｐの枚数が決定したところで前記結束解除装置Ａを利用して折り込み広告Ｐの結束を解き、決められた枚数を分取し、各新聞販売店の枚数の折り込み広告Ｐに仕分して、これを仕分完了品として出荷する。
【００３０】
折り込み広告Ｐは、Ｄ版（幅：４１０ｍｍ、奥行き：２７５ｍｍ、高さ：２５０ｍｍ）やＢ版（幅：３８０ｍｍ〜３９０ｍｍ、奥行き：２７５ｍｍ、高さ：２５０ｍｍ）、特殊版（幅：３７０ｍｍ、奥行き：２６５ｍｍ、高さ：２５０ｍｍ）などの寸法を有するものである。尚、折り込み広告Ｐの寸法は、上記に限らない。
【００３１】
結束バンドＢは、加熱により溶融するポリプロピレンからなる平らな結束バンドＢであり、その寸法を幅：１５ｍｍ、厚さ０．５ｍｍとしている。
【００３２】
折り込み広告載置台Ｃは、構造体たる載置台本体Ｃ１の上面に、折り込み広告Ｐの載置面Ｃ２１を有する天板Ｃ２を取り付けて構成している。
【００３３】
載置台本体Ｃ１は、矩形状を成す上下一対の枠体Ｃ１１、Ｃ１２と、当該上下の枠体Ｃ１１、Ｃ１２を連結する四本の支柱部材Ｃ１３とを具備している。また、当該載置台本体Ｃ１の下端には、アジャスタ機能を有する脚体Ｃ１４とキャスタＣ１５を取り付けて、当該折り込み広告載置台Ｃを床面に設置及び移動可能としている。
【００３４】
天板Ｃ２は、前記上枠体Ｃ１１の上にネジ止めした一辺を略５００ｍｍとする平板材であり、その上面に前記折り込み広告Ｐを載置する載置面Ｃ２１を形成している。尚、当該載置面Ｃ２１から床面までの高さを略８００ｍｍとしている。また、図１や図４等に示すように、天板Ｃ２の下面から上面に向けて貫通する開口部Ｃ２２を開口すると共に、当該開口部Ｃ２２の両側に前記結束バンドＢの厚みよりも深い深さ寸法と当該結束バンドＢの幅よりも幅広な幅寸法を有する有底の凹部Ｃ２３を設けている。当該凹部Ｃ２３は、天板Ｃ２の側辺と平行に延びており当該天板Ｃ２の側端を開放している。
【００３５】
結束解除装置Ａは、前記折り込み広告載置台Ｃの天板Ｃ２の下方に取り付け部材を介して取り付けており、前記折り込み広告載置台Ｃに載置した折り込み広告Ｐと当該折り込み広告Ｐを結束する結束バンドＢとの間に隙間Ｇを形成する隙間形成手段１と、当該隙間形成手段１にて形成した隙間Ｇを利用して前記結束バンドＢを切断する結束バンド切断手段２と、前記結束バンド切断手段２にて切断した結束バンドＢの一端Ｂ１を自由端とした状態で、当該結束バンドＢの他端Ｂ２を前記結束バンド切断手段２の切断動作を利用して保持する結束バンド保持手段３とを具備し、前記結束バンド切断手段２にて切断した結束バンドＢを前記結束バンド保持手段３にて保持した状態で当該結束バンドＢを前記折り込み広告Ｐから引き抜くことにより結束を解除する。
【００３６】
また、本実施形態における結束解除装置Ａは、前記結束バンドＢを前記結束バンド保持手段３にて保持した状態で前記結束バンドＢを巻き取る巻き取り手段４と、当該巻き取り手段４にて巻き取った結束バンドＢの巻き玉ＢＲに、当該巻き玉ＢＲの巻き取り終端部ＢＲ１を溶着して止着する溶着手段５と、当該溶着手段５にて巻き玉ＢＲ状態を維持した結束バンドＢの巻き玉ＢＲを取り外す取り外し手段６とを有している。
【００３７】
以下、結束解除装置Ａの具体的な構成について詳述する。
【００３８】
隙間形成手段１は、前記結束バンド切断手段２を用いて前記結束バンドＢを切断すると共に前記結束バンド保持手段３を用いて前記結束バンドＢを保持するために必要となる隙間Ｇを、前記折り込み広告Ｐと結束バンドＢとの間に形成する機能を有する。
【００３９】
詳述すると、前記折り込み広告Ｐを反結束バンドＢ側に押圧する押圧部材１１ａ、１１ｂ、１１ｃ、１１ｄと、当該押圧部材１１ａ、１１ｂ、１１ｃ、１１ｄを立設する押圧部材用台座１２と、当該押圧部材用台座１２を昇降可能とする昇降シリンダ１３とを具備している。
【００４０】
押圧部材１１ａ、１１ｂ、１１ｃ、１１ｄは、図４に示すように、前記折り込み広告載置台Ｃに載置した折り込み広告Ｐの中央部近傍を下方から前記結束バンドＢを避けて押圧する位置に所定間隔を隔てて前記押圧部材用台座１２に対して鉛直方向に立設した第一押圧部材１１ａ乃至第四押圧部材１１ｄからなる四本の棒部材である。
【００４１】
当該押圧部材１１ａ、１１ｂ、１１ｃ、１１ｄは、図２に示すように、前記折り込み広告載置台Ｃの天板Ｃ２に設けた開口部Ｃ２２から略３０ｍｍ程度の突出幅にて突出して前記折り込み広告Ｐに向って移動（上昇）することにより当該折り込み広告Ｐの下面を反結束バンドＢ方向（上方向）に押圧する。具体的には、前記第一押圧部材１１ａ及び第二押圧部材１１ｂにて、前記結束バンドＢの一方の側端近傍を押圧すると共に、前記結束バンドＢの他方の側端近傍を前記第三押圧部材１１ｃ及び第四押圧部材１１ｄにて押圧する。
【００４２】
押圧状態においては、図２に示すように、前記結束バンドＢと接していない前記折り込み広告Ｐの端部が前記天板Ｃ２に接した状態で折り込み広告Ｐの中央部が前記天板Ｃ２から離間するため、当該折り込み広告Ｐは上向きに膨出する円弧形状となる。一方、当該折り込み広告Ｐの下面に位置する結束バンドＢは押圧前の姿勢を維持するため、当該折り込み広告Ｐの下面から離間する。つまり、前記天板Ｃ２に設けた開口部Ｃ２２には、適度な張力を持った状態で水平姿勢を維持している結束バンドＢのみが残ることとなる。
【００４３】
押圧部材用台座１２は、水平姿勢にて設けた平面視矩形状の平板であり、その上面に前記押圧部材１１ａ、１１ｂ、１１ｃ、１１ｄを固設している。
【００４４】
昇降シリンダ１３は、前記押圧部材用台座１２を介して前記押圧部材１１ａ、１１ｂ、１１ｃ、１１ｄを前記折り込み広告Ｐに対して近接及び離間させるように昇降する機能を有する。
【００４５】
また、当該昇降シリンダ１３は、当該隙間形成手段１の押圧動作と前記結束バンド切断手段２の移動動作とを連動させる連動機構７を具備し、前記隙間形成手段１の押圧動作に伴って、前記結束バンドＢを切断可能な位置に前記結束バンド切断手段２を移動させる。
【００４６】
具体的には、結束バンドＢを切断する前記結束バンド切断手段２と、前記結束バンド切断手段２にて切断した結束バンドＢを保持する前記結束バンド保持手段３と、当該結束バンド保持手段３にて保持している前記結束バンドＢを巻き取る前記巻き取り手段４と、当該巻き取り手段４にて巻き取った巻き玉ＢＲを取り外す前記取り外し手段６とを有する結束解除装置本体Ａ１を平板上の結束解除装置本体載置台Ａ１１上に載置し、当該結束解除装置本体載置台Ａ１１と、前記押圧部材用台座１２とを一体に構成することにより、当該押圧部材用台座１２の昇降に伴って結束解除装置本体載置台Ａ１１を介して結束解除装置本体Ａ１を昇降する。尚、前記押圧部材１１ａ、１１ｂ、１１ｃ、１１ｄ及び結束解除装置本体Ａ１は、前記昇降に伴って前記折り込み広告載置台Ｃの天板Ｃ２に設けた前記開口部Ｃ２２から進退可能に突出する。
【００４７】
結束バンド切断手段２は、図６、図７に示すように、挟み動作により前記結束バンドＢを切断する切断手段であり、前記結束バンドＢを切断する切断刃２１ａ、２１ｂと、当該切断刃２１ａ、２１ｂにて前記結束バンドＢを切断可能な位置に移動するための移動駆動部２２と、当該移動駆動部２２にて切断可能な位置まで移動した後に、前記切断刃２１ａ、２１ｂにより結束バンドＢを切断するための切断駆動部２３と、前記切断刃２１ａ、２１ｂが結束バンドＢを切断可能な方向を向くように調整する調整手段である水平セット部２４とを備えている。
【００４８】
切断刃２１ａ、２１ｂは、互いの鋭利な切断部を対向させた状態で後述する保持部材３１ａ、３１ｂを介して取り付けた上下一対の超硬刃である。
【００４９】
前記結束バンドＢを切断する前の待機状態においては、当該上下一対の切断刃２１ａ、２１ｂの先端側（結束バンドＢの挿入側）を互いに離間させることにより先端側に前記結束バンドＢを挿入可能な挿入口Ｉを開口している。また、切断刃２１ａ、２１ｂの基端側を先端側よりも幅広に構成し、両者の基端部４３２を交差させた状態で上下の切断刃２１ａ、２１ｂを上下動可能に取り付けている。尚、当該切断刃２１ａ、２１ｂは、結束バンドＢの挿入方向の寸法を略４０ｍｍとしている。
【００５０】
移動駆動部２２は、前記切断刃２１ａ、２１ｂを結束バンドＢに対して近接及び離間可能に水平移動させるためのエアシリンダである。当該水平移動により、前記切断刃２１ａ、２１ｂは前記第一押圧部材１１ａと第二押圧部材１１ｂの間から前記結束バンドＢに対して鉛直方向に進退する。具体的には、図示しない検知手段により、切断刃２１ａ、２１ｂが結束バンドＢを切断可能な位置まで近づいたことを検知すると切断刃２１ａ、２１ｂの進入を停止する。
【００５１】
検知手段は、前記結束バンドＢが前記結束バンド切断手段２にて切断可能な位置である挿入口Ｉ内にあることを検知する機能と、当該結束バンドＢが切断可能な姿勢である水平姿勢を保っていることを検知する機能を有する接触または非接触型のセンサーである。
【００５２】
切断駆動部２３は、前記切断刃２１ａ、２１ｂの切断動作を駆動する平行開閉エアシリンダである。具体的には、前記検知手段から結束バンドＢが切断可能であることを示す信号を受信すると、前記保持部材３１ａ、３１ｂを介して上下の切断刃２１ａ、２１ｂの水平姿勢を保った状態で上下動させることにより、結束バンドＢを厚み方向から挟持して切断する。
【００５３】
水平セット部２４は、図５に模式的に示すように、前記切断刃２１ａ、２１ｂを取り付けた保持部材３１ａ、３１ｂに対して進退可能な平板状の突出片２４１を有するものであり、当該突出片２４１を前記保持部材３１ａ、３１ｂの後方を開口して形成したセット溝２４２に勘合することにより、前記切断刃２１ａ、２１ｂが結束バンドＢを切断可能であると共に前記保持面３１ａ１、３１ｂ１にて結束バンドＢを保持可能な方向（本実施形態においては当該保持面３１ａ１、３１ｂ１が水平となる方向）に前記保持部材３１ａ、３１ｂの姿勢を調整して適切な姿勢を維持する機能を有している。
【００５４】
突出片２４１は、前記セット溝２４２の後方略２ｍｍの位置にて水平姿勢を維持した状態で待機しており、調整及び維持しているときにおいては略２０ｍｍのストローク幅にて進退する。その形状は、セット溝２４２の先端近傍の一部と同様としている。
【００５５】
セット溝２４２は、突出片２４１の挿入方向に沿って徐々に幅狭とする開口形状を有しており、当該セット溝２４２の先端部近傍に突出片２４１を嵌合することにより強制的に保持部材３１ａ、３１ｂを回転させて適切な姿勢になるよう調整する。
【００５６】
結束バンド保持手段３は、図６、図７に示すように、上下一対の保持部材３１ａ、３１ｂを用いて、前記結束バンド切断手段２にて切断した結束バンドＢの反保持部材３１ａ、３１ｂ側の端Ｂ１を自由端とした状態で、切断部の近傍に位置する結束バンドＢの端Ｂ２を上下の保持部材３１ａ、３１ｂの間に保持する機能を有する。また、結束バンド保持手段３は、当該前記結束バンド切断手段２の挟み動作を利用して前記結束バンドＢを挟持する。
【００５７】
保持部材３１ａ、３１ｂは、外側に膨出する半割り円筒形状をなすものであり、上下の保持部材３１ａ、３１ｂを閉じた状態にて互いに近接する面を結束バンドＢの形状に合わせた平らな面とすることで当該結束バンドＢを挟持して保持する保持部を有する保持面３１ａ１、３１ｂ１を形成している。上下の保持部材３１ａ、３１ｂを近接させた状態においては、その外形は正面視円形状の略円筒形となる。当該保持部材３１ａ、３１ｂの側端面には、前記保持面３１ａ１、３１ｂ１に対して直交する平らな切断刃取付面３２を設けており、当該切断刃取付面３２に対して前記切断刃２１ａ、２１ｂの切断側の端部（切断部）を前記保持面３１ａ１、３１ｂ１より突出させた状態で取り付ける。当該保持部材３１ａ、３１ｂに取り付けた前記上下の切断刃２１ａ、２１ｂは、上下の保持部材３１ａ、３１ｂの保持面３１ａ１、３１ｂ１が結束バンドＢを挟持する前に上下の切断刃２１ａ、２１ｂの間に挿入した結束バンドＢを切断する。また、上下の保持面３１ａ１、３１ｂ１は、当該保持面３１ａ１、３１ｂ１の間から切断した結束バンドＢの端Ｂ２が離脱する前に結束バンドＢを挟持して保持する。
【００５８】
当該保持動作は、前記切断動作を利用して行われる。つまり、当該保持動作を駆動する保持駆動部は前記切断駆動部２３にて担っており、当該切断駆動部２３にて上下の保持部材３１ａ、３１ｂに取り付けた切断刃２１ａ、２１ｂを近接する方向に平行姿勢にて移動することにより、当該保持部材３１ａ、３１ｂが有する上下の保持面３１ａ１、３１ｂ１を近接する方向に移動させ、当該上下の保持面３１ａ１、３１ｂ１にて結束バンドＢを挟持して保持する。
【００５９】
尚、前記上保持部材３１ａは、前記隙間形成手段１にて形成した隙間Ｇに挿入可能な大きさであり、当該上下保持部材３１ａ、３１ｂにて結束バンドＢを保持した状態において、前記上保持部材３１ａは結束バンドＢの上面側に、下保持部材３１ｂは結束バンドＢの下面側に位置する。
【００６０】
巻き取り手段４は、図６、図７に示すように、前記結束バンドＢの保持面３１ａ１、３１ｂ１を有する保持部材３１ａ、３１ｂの外縁部３３に設けた巻付芯材４１と、当該巻付芯材４１を回転させて前記結束バンド保持手段３を用いて保持している結束バンドＢを当該巻付芯材４１に巻きつける巻き取り駆動部４２と、当該巻き取り駆動部４２にて巻き取る結束バンドＢを巻付芯材４１側に誘導する巻き取りガイド部材４３とを具備し、前記結束バンドＢを前記折り込み広告Ｐから巻き取りながら引き抜く。また、当該巻き取り手段４は、引き抜いた結束バンドＢをコンパクトな巻き玉ＢＲ状態とすることにより嵩を減じているため、引き抜いた結束バンドＢの嵩を減ずる嵩減手段としての機能を兼ねている。
【００６１】
巻付芯材４１は、前記保持部材３１ａ、３１ｂを利用した円筒部材であり、当該巻付芯材４１の外周に結束バンドＢを巻き付けて結束バンドＢの巻き玉ＢＲを形成可能に構成している。その奥行き幅は、結束バンドＢの幅（１５ｍｍ）より僅かに長く設定しており、当該巻付芯材４１の周囲に円筒形状の巻き玉ＢＲが形成される。当該巻付芯材４１は、前記結束バンド切断手段２を用いて結束バンドＢを切断する切断位置から離間可能に構成しており、本実施形態においては、結束バンドＢを切断した後に、前記隙間形成手段１を用いて折り込み広告載置台Ｃの天板Ｃ２の下方に位置する巻取り位置に移動する。そして、当該巻付芯材４１により、前記結束バンド保持手段３を用いて保持する前記結束バンドＢの保持部の周囲に当該結束バンドＢを巻き付ける。
【００６２】
巻き取り駆動部４２は、図７に示すように、前記巻付芯材４１の下方に設置した巻き取り用駆動モータであり、当該位置に設置することでコンパクトな設計を実現している。
【００６３】
巻き取りガイド部材４３は、前記結束バンドＢを巻付芯材４１側に誘導する平板状のガイド部４３１を、当該ガイド部４３１を適度に前記巻付芯材４１から離間させるための水平な基端部４３２から垂設して構成している。
【００６４】
溶着手段５は、図２に示すように、前記折り込み広告載置台Ｃに対して取り付け部材を介して取り付けられており、前記結束バンドＢの巻き取り終端部ＢＲ１を加熱する加熱部５１と、当該加熱部５１を前記巻き取り終端部ＢＲ１に対して進退可能に押し当てる押当部５２とを具備し、前記巻き取り手段４により巻き取った結束バンドＢの巻き玉ＢＲに巻き取り終端部ＢＲ１を溶着して止着し、前記結束バンドＢの巻き玉ＢＲ状態を維持する
取り外し手段６は、図６、図７に示すように、前記巻付芯材４１の近傍に設けた一対の押出片６１と、当該一対の押出片６１を連結する連結部材６２と、当該連結部材６２を介して前記押出片６１を巻き玉ＢＲの排出方向に押し出すリジェクトシリンダ６３とを具備しており、前記巻き取り手段４から前記結束バンドＢの巻き玉ＢＲを取り外す。
【００６５】
押出片６１は、前記巻付芯材４１の後方に設けた平板状の部材であり、当該平板の前面にて前記巻付芯材４１に巻き取った巻き玉ＢＲの後面を押し出す。一対の押出片６１は、両者の離間幅を基端側から先端側（巻付芯材４１側）に向けて徐々に幅広とする正面視逆ハの字状をなす状態で取り付けることにより、様々な巻取り幅に対応可能とし巻き玉ＢＲに対して多くの接面を有する構成としている。
【００６６】
連結部材６２は、前記押出片６１の基端部４３２を連結する平板状の部材であり、当該連結部材６２の中央にリジェクトシリンダ６３の先端部を取り付けることにより、当該連結部材６２を介して前記押出片６１を巻き玉ＢＲの排出方向に対して進退可能としている。
【００６７】
リジェクトシリンダ６３は、前記結束バンド保持手段３の下方に水平姿勢にて設けた駆動部であり、先端に設けた進退棒を水平方向に駆動する機能を有する。
【００６８】
次に、本実施形態の結束解除装置Ａの動作について、図１０及び図１１を参照して説明する。
【００６９】
まず、図４に示すように、折り込み広告Ｐの下面に位置する結束バンドＢが前記折り込み広告載置台Ｃの天板Ｃ２に設けた開口部Ｃ２２を横架すると共に、当該結束バンドＢが前記凹部Ｃ２３に嵌る姿勢となるように結束バンドＢにて結束された折り込み広告Ｐを前記天板Ｃ２の上に載置する。このとき、図１０（２）、図１１（１）に示すように、前記結束バンド切断手段２及び結束バンド保持手段３は、結束バンドＢを挿入口Ｉに挿入可能に開いている。
【００７０】
そして、図示しない制御盤に設けた開始スイッチを押下することにより前記隙間形成手段１が作動を開始し、天板Ｃ２の下の待機位置に待機していた押圧部材１１ａ、１１ｂ、１１ｃ、１１ｄ及び結束解除装置本体Ａ１が折り込み広告Ｐに向って上昇する。
【００７１】
上昇に伴って、図２、図１１（２）に示すように、前記押圧部材１１ａ、１１ｂ、１１ｃ、１１ｄが結束バンドＢを避けた折り込み広告Ｐの下面に当接した状態で押し続け、前記天板Ｃ２の開口部Ｃ２２から略３０ｍｍ程度の突出幅にて突出して前記折り込み広告Ｐに向って上昇した状態で停止する。この状態で、前記折り込み広告Ｐは、複数の押圧部材１１ａ、１１ｂ、１１ｃ、１１ｄで結束バンドＢを跨いだ位置を押圧されており、当該押圧状態においては、前記折り込み広告Ｐの端部が前記天板Ｃ２に接した状態で中央部が前記天板Ｃ２から離間するため、当該折り込み広告Ｐは上向きに膨出する円弧形状となる。
【００７２】
一方、当該折り込み広告Ｐの下面に位置する結束バンドＢは押圧前の姿勢を維持するため、当該折り込み広告Ｐの下面から離間する。つまり、前記天板Ｃ２に設けた開口には、適度な張力を持った状態で水平姿勢を維持している結束バンドＢのみが残ることとなる。
【００７３】
また、前記結束解除装置本体Ａ１に設けた結束バンド切断手段２は、当該押圧部材１１ａ、１１ｂ、１１ｃ、１１ｄの上昇と連動して切断刃２１ａ、２１ｂの挿入口Ｉが結束バンドＢの高さに来るまで上昇している。
【００７４】
次に、結束バンド切断手段２は、図１０（４）や図１１（３）に示すように、前記移動駆動部２２を用いて前記第一押圧部材１１ａと第二押圧部材１１ｂの間から前記結束バンドＢの長手方向に対して鉛直方向に進出し、前記上下の切断刃２１ａ、２１ｂの挿入口Ｉから前記結束バンドＢを挿入して前記上下の切断刃２１ａ、２１ｂの間に位置するまで水平方向に移動する。そして前記検知手段により、切断刃２１ａ、２１ｂが結束バンドＢを切断可能な位置まで近づいたことを検知すると切断刃２１ａ、２１ｂの進入を停止する。
【００７５】
図１０（５）や図１１（４）に示すように、前記結束バンド切断手段２は、前記検知手段から結束バンドＢが切断可能であることを示す信号を受信すると、上下の切断刃２１ａ、２１ｂを取り付けた前記保持部材３１ａ、３１ｂを平行に移動させることにより当該上下の切断刃２１ａ、２１ｂの間で結束バンドＢを挟持して切断する。
【００７６】
また、結束バンドＢの切断後、当該保持部材３１ａ、３１ｂの上下の保持面３１ａ１、３１ｂ１は、当該保持面３１ａ１、３１ｂ１の間から切断した結束バンドＢの端Ｂ２が離脱する前に結束バンドＢを挟持して保持する。
【００７７】
そして、図１０（６）や図１１（５）に示すように、結束バンド切断手段２にて切断した結束バンドＢを前記結束バンド保持手段３にて保持した状態で、図３に示すように、当該保持部材３１ａ、３１ｂ等を有する結束解除装置本体Ａ１を前記待機位置まで下降させた後、水平セット部２４にて維持している保持部材３１ａ、３１ｂの水平状態を解除する。具体的には、前記セット溝２４２に嵌合している突出片２４１を反保持部材３１ａ、３１ｂ側に後退させる。
【００７８】
前記セット溝２４２と突出片２４１の嵌合状態が解除されると、図１０（７）や図１１（５）に示すように、前記巻き取り駆動部４２にて巻付芯材４１となる前記保持部材３１ａ、３１ｂを回転させ、当該巻付芯材４１に前記結束バンドＢを巻きつけて結束バンドＢの巻き玉ＢＲを形成する。つまり、前記結束バンドＢを前記結束バンド保持手段３にて保持した状態で前記結束バンドＢを前記折り込み広告Ｐから巻き取りながら引き抜くことにより折り込み広告Ｐの結束を解除する。
【００７９】
そして、図１０（８）に示すように、前記突出片２４１を再び前記保持部材３１ａ、３１ｂに向かって進出させて当該突出片２４１を前記保持部材３１ａ、３１ｂの後方のセット溝２４２に勘合することにより強制的に保持部材３１ａ、３１ｂを回転させて適切な姿勢になるよう調整し適切な姿勢を維持する。
【００８０】
巻き玉ＢＲの終端部ＢＲ１は、巻き終わり段階においては自由端となっているため、図１０（９）や図１１（６）に示すように、前記溶着手段５を用いて前記巻き取った結束バンドＢの巻き玉ＢＲに巻き取り終端部ＢＲ１を溶着して止着し、前記結束バンドＢの巻き玉ＢＲ状態を維持する。
【００８１】
溶着された巻き玉ＢＲは、図１０（１１）や図１１（６）に示すように、押出片６１を巻き玉ＢＲに向って前進させることにより前記取り外し手段６を用いて前記巻付芯材４１から排出袋の方向に押し出して廃棄する。
【００８２】
結束解除装置Ａは、前記一連の動作を終了すると待機状態に復帰すべく、図１０（１１）や（１２）に示すように、上下の保持部材３１ａ、３１ｂの間を開口すると共に前記取り外し手段６の押出片６１を待機位置に後退させる。
【００８３】
尚、上述の工程により結束バンドＢの切断から廃棄まで行なうサイクルタイムは、１０秒以下である。
【００８４】
以上に説明したとおり、本願の結束解除装置Ａは、折り込み広告Ｐの結束を解除する結束解除装置Ａにおいて、前記折り込み広告Ｐを結束する結束バンドＢを切断する結束バンド切断手段２と、前記結束バンド切断手段２にて切断した結束バンドＢの一端Ｂ１を自由端とした状態で、当該結束バンドＢの他端Ｂ２を前記結束バンド切断手段２の切断動作を利用して保持する結束バンド保持手段３とを具備し、前記結束バンド切断手段２にて切断した結束バンドＢを前記結束バンド保持手段３にて保持した状態で当該結束バンドＢを前記折り込み広告Ｐから引き抜くことを特徴とする。
【００８５】
このようなものであれば、重労働であった結束解除作業を自動化して人手を要する作業を減少させることにより効率化を図ることができるばかりか、前記結束バンド切断手段２の切断動作を利用して切断した結束バンドＢの一部を保持するため、結束解除作業にかかるサイクルタイムを短縮できると共に、例えば結束バンド切断手段２と結束バンド保持手段３の駆動源を同じくするなどして機械構成の簡易化やコストダウンを実現することができる。
【００８６】
また、前記巻き取り手段４が、引き抜いた結束バンドＢを適度なテンションを維持した状態で巻き取るため巻き玉ＢＲをコンパクトなものとすることができる。このように、巻き取り手段４が結束バンドＢの嵩を減ずる嵩減手段としての機能を具備しているため、当該結束バンドＢを入れておく廃棄袋等の交換回数を減少させて、更に作業効率を向上することが可能となる。加えて、省スペースにて引き抜いた結束バンドＢを置いておくことが可能となり作業場等を広く使用することができる。
【００８７】
更に、前記結束バンドＢを前記結束バンド保持手段３にて保持した状態で前記結束バンドＢを巻き取る巻き取り手段４を具備し、前記巻き取り手段４を用いて前記結束バンドＢを前記折り込み広告Ｐから巻き取りながら引き抜くことにより折り込み広告Ｐの結束を解除しているため、簡易な構成にて引き抜き動作等を実現できる。
【００８８】
加えて、前記結束バンド保持手段３を用いて保持する前記結束バンドＢの保持部の周囲に当該結束バンドＢを巻き付ける巻付芯材４１を具備し、前記巻付芯材４１に前記結束バンドＢを巻きつけて結束バンドＢの巻き玉ＢＲを形成する構成や、前記巻き取り手段４にて巻き取る結束バンドＢを前記巻付芯材４１側に誘導する巻き取りガイド部材４３を有しているため、円滑に巻き取り動作を行うことができる。
【００８９】
更に、前記巻き取り手段４を用いて巻き取った結束バンドＢの巻き玉ＢＲに巻き取り終端部ＢＲ１を溶着して止着する溶着手段５を具備し、前記溶着手段５を用いて前記結束バンドＢの巻き玉ＢＲ状態を維持していることにより、前記巻き取り手段４を用いて巻き取った結束バンドＢの嵩が膨張することを防止できる。
【００９０】
また、前記巻き取り手段４により巻き取った結束バンドＢの巻き玉ＢＲに巻き取り終端部ＢＲ１を溶着して止着する溶着手段５を採用していることにより、止着のために紐等の他の部材を必要としないため構造の複雑化や他部材の補充の必要性などを回避できる。
【００９１】
加えて、前記巻き取り手段４から前記結束バンドＢの巻き玉ＢＲを取り外す取り外し手段６を具備しているため、結束バンドＢの廃棄作業まで自動化することが可能となる。
【００９２】
更に、挟み動作により前記結束バンドＢを切断する結束バンド切断手段２を具備し、前記結束バンド切断手段２の挟み動作を利用して前記結束バンド保持手段３が前記結束バンドＢを挟持することで、簡易且つ確実な構成にて前記切断動作を利用した保持動作を実現できる。
【００９３】
また、前記結束バンド切断手段２を用いて前記結束バンドＢを切断すると共に前記結束バンド保持手段３を用いて前記結束バンドＢを保持するために必要となる隙間Ｇを、前記折り込み広告Ｐと結束バンドＢとの間に形成する隙間形成手段１を具備していることにより、折り込み広告Ｐを傷つけることなく容易に切断することができる。
【００９４】
また、前記折り込み広告Ｐを反結束バンドＢ側に押圧する押圧部材１１ａ、１１ｂ、１１ｃ、１１ｄを用いて前記折り込み広告Ｐと結束バンドＢとの間に隙間Ｇを形成する隙間形成手段１を採用しているため、複雑な機構を付加することなく隙間Ｇを形成できる。
【００９５】
更に、前記隙間形成手段１の押圧動作と前記結束バンド切断手段２の移動動作とを連動させる連動機構７を具備し、前記隙間形成手段１の押圧動作に伴って、前記結束バンドＢを切断可能な位置に前記結束バンド切断手段２を移動させることにより、隙間Ｇの形成工程及び結束バンド切断手段２の移動工程を同時に行うことが可能となり作業時間を短縮化することができる。
【００９６】
加えて、前記結束バンドＢが前記結束バンド切断手段２にて切断可能な位置にあることを検知する検知手段や前記切断刃２１ａ、２１ｂが結束バンドＢを切断可能な方向に向くように調整する水平セット部２４を具備しているため前記結束バンドＢの切断を確実に行なうことが可能となる。
【００９７】
なお、本発明は、以上に詳述した実施形態に限られるものではない。
【００９８】
本実施の形態においては、説明を簡易にするために折り込み広告Ｐが一本の結束バンドＢで結束されている場合について説明したが、通常、前記折り込み広告Ｐは複数の結束バンドＢを用いて結束されていることが多い。例えば図１２に示すように、互いに直交する縦向き結束バンドＢ１１０と横向き結束バンドＢ１１１、Ｂ１１２を用いて結束することが考えられる。
【００９９】
このような場合には、前記結束解除装置Ａを複数設けて異なる方向から結束した結束バンドＢ１１０、Ｂ１１１、Ｂ１１２による結束を解除するとよい。
【０１００】
具体的には、第一の方向（縦方向）から折り込み広告Ｐを結束する第一の結束バンドである縦向き結束バンドＢ１１０を切断可能な位置と、当該縦向き結束バンドＢ１１０と直交する第二の方向（横方向）から折り込み広告Ｐを結束する第二の結束バンドである横向き結束バンドＢ１１１、Ｂ１１２を切断可能な位置に、前記結束解除装置（縦向き結束バンド用の結束解除装置Ａ１１０、横向き結束バンド用の結束解除装置Ａ１１１、Ａ１１２）を設置する。
【０１０１】
詳述すると、図１２に示すように、横向き結束バンドＢ１１１、Ｂ１１２を切断するために、対向する向きに設置した一対の横向き結束バンド用の結束解除装置Ａ１１１、Ａ１１２と、当該横向き結束バンド用の結束解除装置Ａ１１１、Ａ１１２と直交する向きに設置した縦向き結束バンド用の結束解除装置Ａ１１０とを備えるとよい。
【０１０２】
尚、前記実施形態と同様の構成については、同じ符号を付している。
【０１０３】
このように複数の結束解除装置Ａ１１０、Ａ１１１、Ａ１１２を用いる場合には、前記隙間Ｇを順次形成するために、縦向き結束バンド用の結束解除装置Ａ１１０にて縦向き結束バンドＢ１１０による結束を解除した後に、前記横向き結束バンド用結束解除装置Ａ１１１、Ａ１１２にて横向き結束バンドＢ１１１、Ｂ１１２による結束を解除する制御を行うことが考えられる。
【０１０４】
以上のような設置方法を採用することにより、例えば上述の通り前記折り込み広告Ｐが、結束状態を強固なものとするために直交する縦向きと横向きの結束バンド（縦向き結束バンドＢ１１０、横向き結束バンドＢ１１１、Ｂ１１２）を用いて結束している場合であっても、前記結束解除装置（縦向き結束バンド用の結束解除装置Ａ１１０、横向き結束バンド用の結束解除装置Ａ１１１、Ａ１１２）や結束解除装置Ａの設置台などに複雑な機構を設けることなく対応することができる。
【０１０５】
尚、複数の結束解除装置Ａを設置する向きは、上述のように直交状態に限られない。つまり、複数台の結束解除装置Ａを設置する結束解除装置Ａの設置方法を採用する場合には、前記結束解除装置Ａを、複数の方向から前記結束バンドＢを切断可能な位置に設置することも考えられる。
【０１０６】
これにより、前記結束解除装置Ａなどに複雑な機構を設けることなく、個別に異なる結束方向に結束された折り込み広告Ｐの結束を好適に解除できる。
【０１０７】
更に、上記においては、異なる方向に結束された結束バンド（縦向き結束バンドＢ１１０、横向き結束バンドＢ１１１、Ｂ１１２）を切断する際に、複数の結束解除装置（縦向き結束バンド用の結束解除装置Ａ１１０、横向き結束バンド用の結束解除装置Ａ１１１、Ａ１１２）を用いているが、例えば、前記結束解除装置本体Ａ１を設置している結束解除装置本体載置台Ａ１１を回転可能として前記結束解除装置Ａの向きを可変とすることにより、前記結束バンド切断手段２を用いて、複数の方向から前記結束バンドＢを切断可能に構成することも考えられる。
【０１０８】
これにより、個別に異なる結束方向に結束された折り込み広告Ｐの結束を好適に解除できるという利点を維持しつつも、当該結束解除装置Ａを組み込んだシステムの軽量化及びコンパクト化を図ることができるため設置場所の選択自由度が増す。
【０１０９】
更に、上記のように、互いに直交する縦向き結束バンドＢ１１０と横向き結束バンドＢ１１１、Ｂ１１２を用いて結束されている場合に対応するためには、例えば、前記結束解除装置本体Ａ１を設置している結束解除装置本体載置台Ａ１１の回転角度を９０度として、前記結束解除装置Ａの向きを可変とすることにより、前記結束バンド切断手段２を用いて、第一の方向（縦方向）から前記折り込み広告Ｐを結束する第一の結束バンドと、当該第一の結束バンドＢと直交する第二の方向（横方向）から前記折り込み広告Ｐを結束する第二の結束バンドＢとを切断可能に構成しても良い。
【０１１０】
また、前記結束バンド切断手段２の進退幅等を制御可能として、同方向に結束する複数の結束バンドＢによる結束を一台の結束解除装置Ａにて解除しても良い。
【０１１１】
加えて、本実施形態においては、円筒形状の巻き玉ＢＲを形成したが、当該巻き玉ＢＲの形状は他の形状でも良い。例えば、本実施の形態における巻き玉ＢＲは、巻付芯材４１を抜き取った後に中空部分が形成されるが、更に嵩を減ずるためには、当該中空部部分を押し潰した形状となるように巻き取り、前記中空部分を有さない巻き玉ＢＲの形状とすることも考えられる。
【０１１２】
更には、巻き玉ＢＲを形成することにより嵩を減じたが、例えば結束バンドＢの端部をシュレッダに挿入して順次切断する構成とすることも考えられる。
【０１１３】
また、前記溶着手段５として、ハンダゴテ溶着の他、超音波溶着などを行なうことも考えられる。更には、止着手段として接着剤等を用いて前記巻き取り手段４により巻き取った結束バンドＢの巻き玉ＢＲに巻き取り終端部ＢＲ１を接着して止着する接着手段を採用しても良い。
【０１１４】
加えて、前記水平セット部２４は、ステッピングモータやサーボモータなどを用いて高度な位置決め性能を発揮する回転駆動機構とすることも考えられる。当該回転駆動機構により、前記切断刃２１ａ、２１ｂが結束バンドＢを切断可能であると共に前記保持面３１ａ１、３１ｂ１にて結束バンドＢを保持可能な方向（本実施形態においては当該保持面３１ａ１、３１ｂ１が水平となる方向）に前記保持部材３１ａ、３１ｂの姿勢を制御しても良い。
【０１１５】
その他、各部の具体的構成についても上記実施形態に限られるものではなく、本発明の趣旨を逸脱しない範囲で種々変形が可能である。
【図面の簡単な説明】
【０１１６】
【図１】本発明の一実施形態における折り込み広告載置台Ｃに結束解除装置Ａを組み込んだ状態を示す側面図。
【図２】同実施形態における折り込み広告載置台Ｃに結束解除装置Ａを組み込んだ状態を示す正面図。
【図３】同実施形態における折り込み広告載置台Ｃに結束解除装置Ａを組み込んだ状態を示す正面図。
【図４】同実施形態における折り込み広告載置台Ｃに結束解除装置Ａを組み込んだ状態を示す平面図。
【図５】同実施形態における水平セット部２４の模式図。
【図６】同実施形態における結束解除装置Ａの正面図。
【図７】同実施形態における結束解除装置Ａの側面図。
【図８】同実施形態における結束解除装置Ａの部分拡大側面図。
【図９】同実施形態における結束解除装置Ａの部分拡大正面図。
【図１０】同実施形態における結束解除装置Ａの動作説明図。
【図１１】同実施形態における結束解除装置Ａの動作説明図。
【図１２】他の実施形態における結束解除装置Ａを示す概略斜視図。
【符号の説明】
【０１１７】
Ａ・・・結束解除装置
Ａ１１０・・・結束解除装置
Ａ１１１・・・結束解除装置
Ａ１１２・・・結束解除装置
Ｂ・・・結束要素（結束バンド）
Ｂ１・・・一端
Ｂ２・・・他端
ＢＲ・・・巻き玉
ＢＲ１・・・巻き取り終端部
Ｂ１１０・・・結束要素（縦向き結束バンド）
Ｂ１１１・・・結束要素（横向き結束バンド）
Ｂ１１２・・・結束要素（横向き結束バンド）
Ｇ・・・隙間
Ｐ・・・被結束物（折り込み広告）
１・・・隙間形成手段
２・・・結束要素切断手段（結束バンド切断手段）
３・・・結束要素保持手段（結束バンド保持手段）
４・・・巻き取り手段
５・・・止着手段（溶着手段）
６・・・取り外し手段
７・・・連動機構
１１ａ・・・押圧部材（第一押圧部材）
１１ｂ・・・押圧部材（第二押圧部材）
１１ｃ・・・押圧部材（第三押圧部材）
１１ｄ・・・押圧部材（第四押圧部材）
２４・・・調整手段（水平セット部）
４１・・・巻付芯材
４３・・・巻き取りガイド部材
【図１】
2008110784.tif 000003
【図２】
2008110784.tif 000004
【図３】
2008110784.tif 000005
【図４】
2008110784.tif 000006
【図５】
2008110784.tif 000007
【図６】
2008110784.tif 000008
【図７】
2008110784.tif 000009
【図８】
2008110784.tif 000010
【図９】
2008110784.tif 000011
【図１０】
2008110784.tif 000012
【図１１】
2008110784.tif 000013
【図１２】
2008110784.tif 000014